(57)【特許請求の範囲】
【請求項１】
着信時、発信者番号通知サービスで得られた相手方電話番号が親機に通話拒否番号として登録されていると、自動的に通話拒否の応答を行う手段と、
前記通話拒否の応答中は、親機において、子機からの回線捕捉要求の受け付けを禁止する手段とを具備し、
前記回線捕捉要求が親機で受け付けられないと子機は動作を終了することを特徴とするコードレス電話機。
【発明の詳細な説明】
【０００１】
【発明の属する技術分野】
本発明はコードレス電話機に係り、特に自動通話拒否応答、所謂ブラックリスト応答に関する。
【０００２】
【従来の技術】
近年、コードレス電話機の多機能化が進められており、その多機能の１つとしてブラックリスト応答がある。これは、通話したくない相手の電話番号をブラックリストとして登録しておくと、着信時、発信者番号通知サービスで相手方電話番号が得られ、その電話番号がブラックリストとして登録されていると、呼び出し音は鳴動させないで、相手に「お客様の都合によりお受けできません」と通話拒否応答を自動的に行う機能である。このとき、コードレス電話機の親機では、ブラックリスト応答中を意味する表示を行っているが、子機では表示を行っていない。また、親機および子機ともに、回線捕捉動作を行えば、ブラックリスト応答中に相手と通話可能となる。
【０００３】
図６は、従来のコードレス電話機の親機の動作を、特に上記のブラックリスト応答について詳細に示すフローチャートである。まず発信者番号通知サービスで着信があると（ステップＳ１）、その発信者番号通知サービスで得られた相手方電話番号が親機のメモリ内にブラックリストとして登録されているか判断され（ステップＳ２）、もし登録されていなければ呼び出し音が鳴動し（ステップＳ３）、親機で回線捕捉動作が行われれば（ステップＳ４）、あるいは子機で回線捕捉動作が行われれば（ステップＳ５）、通話状態（ステップＳ６）となる。なお、子機で回線捕捉動作が行われたときは、実際の通話は親機を通して子機で行われる。この点は、下記のブラックリスト応答中の通話も同様である。そして、通話が終了すれば、回線開放動作（ステップＳ７）となり、動作終了となる。
【０００４】
一方、発信者番号通知サービスで得られた相手方電話番号が親機のメモリ内にブラックリストとして登録されているとステップＳ２で判断されると、ブラックリスト応答が開始される（ステップＳ８）。しかし、このブラックリスト応答中（ステップＳ９）に親機で回線捕捉動作が行われると（ステップＳ１０）、あるいは子機で回線捕捉動作が行われると（ステップＳ１１）、ステップＳ６の通話状態となる。そして、通話が終了し、あるいはブラックリスト応答が終了すれば、回線開放動作（ステップＳ１１）となり、動作終了となる。
【０００５】
【発明が解決しようとする課題】
上記のように、従来のコードレス電話機では、親機および子機ともに、回線捕捉動作を行えば、ブラックリスト応答中に相手と通話可能となる。しかし、コードレス電話機の親機では、ブラックリスト応答中を意味する表示を行っているので、間違って回線捕捉動作を行ってブラックリストに登録した相手と通話する状態になることはないが、子機ではブラックリスト応答中であることが不明であるから、回線捕捉動作が行われてブラックリストに登録した相手と通話する羽目になるという問題点があった。
【０００６】
本発明は上記の点に鑑みなされたもので、ブラックリストに登録した相手と子機で通話する状態になることを防止できるコードレス電話機を提供することを目的とする。
【０００７】
【課題を解決するための手段】
本発明の第１のコードレス電話機は、着信時、発信者番号通知サービスで得られた相手方電話番号が親機に通話拒否番号として登録されていると、自動的に通話拒否の応答を行う手段と、前記通話拒否の応答中は、親機において、子機からの回線捕捉要求の受け付けを禁止する手段とを具備し、前記回線捕捉要求が親機で受け付けられないと子機は動作を終了することを特徴とする。
【００１０】
【発明の実施の形態】
次に添付図面を参照して本発明によるコードレス電話機の実施の形態を詳細に説明する。図４および図５は本発明のコードレス電話機の実施の形態を示し、特に図４は親機１０のブロック図、図５は子機３０のブロック図である。
【００１１】
図４に示す親機１０は、この親機全体を制御するCPU１１を有し、このCPU１１にキー入力部１２、LCD表示部１３、ＲＡＭ１４、メッセージ録音部１５、フックスイッチ１６が接続される。ここで、キー入力部１２は、留守キー、再生キー、ハンズフリーキー、登録キー、＊キー、テンキー等を有し、各種の情報を入力する。LCD表示部１３は、受信した発信者の電話番号等の各種の情報を表示する。ＲＡＭ１４は、受信した発信者の電話番号等の各種の情報を記憶し、しかも電話帳としてのメモリ機能も有する。さらに、ＲＡＭ１４は、ブラックリスト用のメモリとしても使用され、ブラックリストの電話番号を記憶する。メッセージ録音部１５は、留守録モード時の応答メッセージ、ブラックリスト応答時のメッセージ、受信した発信者からのメッセージ等を記憶する。フックスイッチ１６は受話器が親機１０上に置かれているか否かを判別する。
【００１２】
１７は回線端子で、リンガ信号を検出する着信検出回路１８が接続され、この着信検出回路１８の出力がCPU１１に接続される。１９は回線端子１７の電圧・極性反転が電話機内部に影響を与えないようにする整流回路、２０は回線の接続・切断を行うDP送出回路、２１は２線−４線変換を行うスピーチネットワークICであり、回線端子１７はこれらの回路を介してCPU１１に接続される。また、スピーチネットワークIC２１には、受話器２２、マイク２３、スピーカ２４、コーラーIDIC２５が接続されており、コーラーIDIC２５の出力はCPU１１に接続される。コーラIDIC２５は、受信した発信者の電話番号を判別する回路である。さらに、スピーチネットワークIC２１およびCPU１１は、子機と無線通信を行うためにコンパンダIC２６を介してRFモジュール２７に接続されており、RFモジュール２７にはアンテナ２８が接続される。さらに、親機１０は電源回路２９を有し、この電源回路２９から上記各部に電力が供給される。
【００１３】
図５に示す子機３０は、この子機全体を制御するCPU３１を有し、このCPU３１には、親機１０と無線通信を行うためにRFモジュール３３とコンパンダIC34が接続されており、RFモジュール３３にはアンテナ３２が接続される。また、コンパンダIC３４は、音声出力部が増幅器３５を介してスピーカ３６に接続されるとともに、マイク３７が音声入力部に接続される。また、CPU３１には、親機１０と同様に、情報を入力するキー入力部３８、情報を表示するLCD表示部３９、IDデータを含む各種情報を記憶するROM４０が接続される。さらに、子機３０は電源回路４１を有し、この電源回路４１から上記各部に電力が供給される。
【００１４】
上記のように構成されたコードレス電話機の親機１０と子機３０においては、図１のシーケンス図に示すように、発信者番号通知サービスでの着信が親機１０であると、親機１０においてはブラックリスト用メモリを検索して、発信者番号通知サービスで得られた相手方の電話番号がブラックリストに登録されているか否かを判断する。そして、もし相手方電話番号がブラックリストに登録されていれば、親機１０と子機３０で呼び出し音が鳴動せず、かつ親機１０からは「お客様の都合によりお受けできません」というメッセージがブラックリスト応答として相手方に送出される。さらに、このブラックリスト応答中に子機３０で回線捕捉動作、すなわち通話キー押下やオフクレドールが行われても、親機１０ではその子機３０からの回線捕捉要求を受け付けないようになる。したがって、子機３０では回線捕捉が行われず、通話状態にならず、その結果として、ブラックリスト応答中に、ブラックリストに登録した相手と子機３０で通話するような状態にはならない。その後、子機３０は親機１０から応答がないため、タイムアウトになるとエラー音が鳴動し、動作終了となる。また、親機１０もブラックリスト応答終了後に回線断となり、動作を終了する。
【００１５】
図２は上記のような動作のうち特に親機１０の動作を示すフローチャートである。これを説明すると、まず発信者番号通知サービスで着信があると（ステップＳ２１）、その発信者番号通知サービスで得られた相手方電話番号が親機のブラックリスト用メモリ内にブラックリストとして登録されているか判断され（ステップＳ２２）、もし登録されていなければ呼び出し音が鳴動し（ステップＳ２３）、親機で回線捕捉動作が行われれば（ステップＳ２４）、あるいは子機で回線捕捉動作が行われれば（ステップＳ２５）、通話状態（ステップＳ２６）となる。なお、子機で回線捕捉動作が行われたときは、実際の通話は親機を通して子機で行われる。そして、通話が終了すれば、回線開放動作（ステップＳ２７）となり、動作終了となる。
【００１６】
一方、発信者番号通知サービスで得られた相手方電話番号が親機１０のブラックリスト用メモリ内にブラックリストとして登録されているとステップＳ２２で判断されると、ブラックリスト応答が開始される（ステップＳ２８）。このブラックリスト応答中（ステップＳ２９）に親機１０で回線捕捉動作が行われると（ステップＳ３０）、ステップＳ２６の通話状態となる。しかし、親機１０では、ブラックリスト応答中を意味する表示を行っているので、間違って回線捕捉動作を行ってブラックリストに登録した相手と通話する状態になることは避けられる。また、このブラックリスト応答中は、親機１０では、子機３０からの回線捕捉要求を受け付けないようになる。そして、ブラックリスト応答が終了すると、回線開放動作（ステップＳ２７）となり、動作終了となる。
【００１７】
図３は子機３０の動作を示すフローチャートで、通常は、子機３０で回線捕捉動作すなわち通話キー押下やオフクレドール（ステップＳ４１）が行われると、子機３０から親機１０に回線捕捉要求が送出され（ステップＳ４２）、親機１０から応答があると（ステップＳ４３）、回線捕捉状態（ステップＳ４４）となり、通話可能（ステップＳ４５）となる。そして、通話が終了すれば、回線開放動作（ステップＳ４６）となり、動作終了となる。一方、ステップＳ４２で回線捕捉要求を親機１０に送出したとき、親機１０がブラックリスト応答中であると、本発明では親機１０で回線捕捉要求が受け付けられず、親機１０からの応答が無いため、子機３０は、ステップＳ４７でタイムアウトになるとエラー音が鳴動し、動作終了となる。
【００１８】
以上のように上記の実施形態によれば、ブラックリスト応答中は子機３０からの回線捕捉要求を親機１０が受け付けず、子機３０が通話状態になることがないので、子機３０で回線捕捉動作が行われても、ブラックリスト応答中に、ブラックリストに登録した相手と子機３０で通話するような状態になることを防止できる。また、この方法、すなわち、ブラックリスト応答中は子機３０からの回線捕捉要求を親機１０が受け付けない方法によれば、前記要求を受け付けないように一部親機１０を変更するだけでよく、子機３０は従来と全く同一構成でよいので、非常に容易に目的を実現できる。
【００１９】
なお、上記の実施の形態では、ブラックリスト応答中は子機３０からの回線捕捉要求を親機１０が受け付けないようにしたが、他の方法として、ブラックリスト応答中は親機１０から子機３０に信号を送出して、現在親機１０においてブラックリスト応答中である旨を子機３０のＬＣＤ表示部３９（図５）に表示させるようにしてもよい。この方法によれば、子機３０のＬＣＤ表示部３９の表示を見て、ブラックリストに登録した相手と通話することを避けることができるとともに、場合によっては通話して苦情を述べるなどの臨機応変の対処法をとることができる。
【００２０】
【発明の効果】
以上詳細に説明したように本発明のコードレス電話機によれば、ブラックリストに登録した相手と子機で通話する状態になることを防止できる。
【図面の簡単な説明】
【図１】本発明の実施の形態の動作を示すシーケンス図。
【図２】本発明の実施の形態の特に親機の動作を示すフローチャート。
【図３】本発明の実施の形態の特に子機の動作を示すフローチャート。
【図４】本発明のコードレス電話機の実施の形態を示すブロック図。
【図５】本発明のコードレス電話機の実施の形態を示すブロック図。
【図６】従来のコードレス電話機の親機の動作を示すフローチャート。
【符号の説明】
１０  親機
１４  ＲＡＭ
３０  子機
３９  ＬＣＤ表示部
【図１】
0003665534.tif 000002
【図２】
0003665534.tif 000003
【図３】
0003665534.tif 000004
【図４】
0003665534.tif 000005
【図５】
0003665534.tif 000006
【図６】
0003665534.tif 000007